(57)【要約】      （修正有）【課題】弦の装着が容易であり、激しいトレモロ演奏でも弦が脱落しない、トレモロ装置用弦挿通パイプとトレモロ装置を提供する。【解決手段】高さ方向に長い円筒形状をなし、長手方向に貫通する弦挿通孔２０１を備え、一端にトレモロ装置の弦固定部材１００に装着する装着機構２０２を有する。このトレモロ装置用弦挿通パイプ２００は従来のフロイドローズ（登録商標）トレモロ装置に装着して使用することが可能である。材質はステンレス又は工具鋼を用いることができる。【選択図】図１
0003147077.tif 000002
【実用新案登録請求の範囲】
【請求項１】
高さ方向に長い円筒形状をなし、長手方向に貫通する弦挿通孔を備え、一端にトレモロ装置の弦固定部材に装着する装着機構を有するトレモロ装置用弦挿通パイプ。
【請求項２】
前記装着機構が、弦固定部材のネジ穴に装着するネジ溝であることを特徴とする請求項１記載のトレモロ装置用弦挿通パイプ。
【請求項３】
ステンレス又は工具鋼から形成されることを特徴とする請求項１記載のトレモロ装置用弦挿通パイプ。
【請求項４】
長手方向に貫通する弦挿通孔を備え、一端にトレモロ装置の弦固定部材に装着する装着機構を有するトレモロ装置用弦挿通パイプを装着したトレモロ装置。
【考案の詳細な説明】
【技術分野】
【０００１】
本考案は、ギターなどの弦楽器に設置されるトレモロ装置に用いるトレモロ装置用弦挿通パイプ及びこのトレモロ装置用弦挿通パイプを備えるトレモロ装置に関する。
【背景技術】
【０００２】
ギターなどの弦楽器、特に電気ギターにはトレモロ装置が用いられることがある。
【０００３】
このトレモロ装置はギターのボディーに設けられ、トレモロ装置に設けられたトレモロアームを上下させることにより、弦の張力を増減させ、音程を上げ下げすることができる。このような演奏はトレモロ演奏と呼ばれる。
【０００４】
従来のトレモロ装置はトレモロ演奏を行うとチューニングが狂ってしまうという問題点があった。
【０００５】
この点に関し、ギターのネック部において弦を挟んで固定する弦挟持部材と、弦の末端を挟んで固定する弦固定部材及びこの弦固定部材を回動させて弦の張力を微調整する微調整機構を備え、バネにより弦の張力とのバランスをとるフロイドローズ（登録商標）トレモロ装置（以下、バランス型トレモロ装置と呼ぶ。）が提案されている（例えば、特許文献１）。
【特許文献１】特開昭５８−１６３９９７号公報
【考案の開示】
【考案が解決しようとする課題】
【０００６】
このバランス型トレモロ装置は、弦を２か所において固定するため、トレモロ演奏の際のチューニングの乱れを最小限に抑えることに成功した。
【０００７】
しかし、弦を弦固定部材に固定するには、弦の端部を切断し、弦を挟むブロック体を固定部材に挿入し、切断した弦の末端を弦固定部材の中に挿入し、この弦の末端をブロック体と共に締め付けて固定する締め付け部材を固定部材に装着し、弦が固定部材から脱落しないように注意しながら締め付け部材をレンチによって締め付ける、という煩雑な作業を伴うという問題点があった。
【０００８】
さらに、激しいトレモロ演奏を行うと、弦が抜けてしまうという問題点があった。
【０００９】
本考案は、このような問題点を解決するために、弦の装着が容易であり、激しいトレモロ演奏でも弦が脱落しない、トレモロ装置用弦挿通パイプとトレモロ装置を提供することを目的とする。
【考案の効果】
【００１０】
本考案によれば、弦をギターに設置するときに煩わしい作業をする必要がなくなり、激しいトレモロ演奏でも弦が抜けることがない、という効果がある。
【課題を解決するための手段】
【００１１】
本考案は、高さ方向に長い円筒形状をなし、長手方向に貫通する弦挿通孔を備え、一端にトレモロ装置の弦固定部材に装着する装着機構を有するトレモロ装置用弦挿通パイプを提供する。
【考案を実施するための最良の形態】
【００１２】
以下、本考案のトレモロ装置用弦挿通パイプとトレモロ装置の一実施形態を、図面を参照して説明する。
【００１３】
図５は、電気ギターにおけるトレモロ装置１０の設置位置を示す図である。図５に示すように、トレモロ装置１０は、ギターのボディーの弦末端部分に設けられる。トレモロ装置１０は弦を固定する弦固定部材１００と、トレモロ装置１０を上下に摺動させるトレモロアーム３０とを備える。
【００１４】
トレモロ装置１０は弦の張力を微調整する微調整機構１２１を備えていてもよい。また、ネック部分に弦を挟んで固定する弦挟持部材２０を同時に使用することも可能である。
【００１５】
トレモロ装置１０はさらに、弦固定部材１００を載せ、トレモロアーム３０の装着装置を有するベースユニット１２３を有する。ベースユニット１２３はボディーに捻じ込んで植え込まれた１対のペグ１２２に回動可能に取り付けられる。
【００１６】
ベースユニット１２３はボディーの裏側に設けられたスプリングによって、ネックの方向に引かれる。このスプリングは弦の張力と釣り合う強さに調節されている。このため、ベースユニット１２３はボディーとほぼ平行な位置に固定される。
【００１７】
トレモロアーム３０がボディーの方向に押し下げられると弦が緩んで音程が下がり、逆方向に引き上げられると張力が増して音程が上がる。
【００１８】
図１は、本実施形態のトレモロ装置用弦挿通パイプ２００と弦固定部材１００を示す分解斜視図である。
【００１９】
図１に示すように、弦固定部材１００はリアユニット１０１とフロントユニット１０２とを有する。リアユニット１０１とフロントユニット１０２とはピン１１５により回動可能に係止されている。
【００２０】
リアユニット１０１は上下方向に中空孔１１１を有する。この中空孔１１１はリアユニット１０１の後方側面に設けられたネジ穴１１６とつながっている。リアユニット１０１はさらに、中空孔１１１からフロントユニット１０２側に上るスロープ溝１１２を有する。
【００２１】
本実施形態の弦挿通パイプ２００は、高さ方向に長い棒状をなし、先端に装着機構であるネジ溝２０２を有する。弦挿通パイプ２００の形状は、円筒形が望ましいが、多角柱でもよい。装着機構は単なるテーパであってもよい。弦挿通パイプ２００はさらに、弦挿通孔２０１を有する。弦挿通孔２０１は弦挿通パイプ２００の一端から他端に向かって長手方向に貫通している。
【００２２】
弦挿通パイプ２００の末端から他端のネジ溝２０２までの長さＬは２５ｍｍ以上３０ｍｍ以下が望ましい。これ以上になるとトレモロ演奏の際に弦挿通パイプ２００がボディーと接触してしまい、これ未満では微調整機構１２１により音程を微調整することが不可能となる。
【００２３】
弦挿通パイプ２００の直径φは４ｍｍが最も望ましい。これ以上になるとトレモロ演奏の際に弦挿通パイプ２００がボディーと接触してしまい、これ以下になると強度が不足する。
【００２４】
弦挿通パイプ２００の材質は、ステンレス又は工具鋼であることが望ましい。この工具鋼は、ＪＩＳ規格の工具鋼を用いることができるほか、鉄に炭素、タングステン、クロム、マンガン、モリブデン、バナジウム、シリコン、ニッケル、コバルトから１種類以上選ばれる材料を添加した鋼を用いることもできる。
【００２５】
弦挿通孔２０１の直径は１．５ｍｍが最も望ましい。これ以上になると強度が不足し、これ以下では弦を挿通することが不可能となる。
【００２６】
図２は、本実施形態の弦挿通パイプ２００を弦固定部材に装着した様子を示す図である。図２に示すように、弦挿通パイプ２００はネジ溝２０２をネジ穴１１６に捻じ込んで固定される。
【００２７】
図３は、本実施形態の弦挿通パイプ２００の使用方法を示す図である。図３に示すように、弦３００の先端を弦挿通孔２０１に挿入させて使用する。このとき、弦３００の終端リング３０１は、従来のバランス型トレモロ装置のように切断する必要はない。
【００２８】
図４は、本実施形態の弦挿通パイプ２００の使用状態を示す図である。図４に示すように、弦３００の終端リング３０１は弦挿通孔２０１に引っ掛かって止まる。一方、弦３００は弦挿通孔２０１から中空孔１１１を通り、スロープ溝１１２の表面に掛けられ、先端が糸巻きによって巻き取られる。
【００２９】
ここで、微調節機構のネジを締めると、弦挿通パイプ２００が押し下げられ、弦の張力が増すため音程が高くなる。また、微調節機構のネジを緩めると弦挿通パイプ２００が上がり、弦の張力が減るため音程が低くなる。
【００３０】
以上述べたように、本実施形態のトレモロ装置用弦挿通パイプ２００は、ネジ溝２０２と弦挿通孔２０１とを有し、弦固定部材に装着されて使用される。このため、従来のバランス型トレモロ装置に装着可能であり、弦３００をギターに設置するときに煩わしい作業をする必要がなくなり、激しいトレモロ演奏でも弦が抜けることがない、という効果がある。
【００３１】
また、ボディーの裏側にあるスプリングを強く調節し、ベースユニット１２３をボディーに接触させてシンクロナイズドトレモロのように使用することも可能である。この場合、チューニングを変えて演奏することもできる。
【００３２】
さらに、本実施形態のトレモロ装置はブロック体を使用しないため、部品点数を少なくすることができるという効果がある。
【図面の簡単な説明】
【００３３】
【図１】トレモロ装置用弦挿通パイプ２００と弦固定部材１００を示す分解斜視図である。
【図２】弦挿通パイプ２００を弦固定部材に装着した様子を示す図である。
【図３】弦挿通パイプ２００の使用方法を示す図である。
【図４】弦挿通パイプ２００の使用状態を示す図である。
【図５】電気ギターにおけるトレモロ装置１０の設置位置を示す図である。
【符号の説明】
【００３４】
１０：トレモロ装置、
１００：弦固定部材、
１０１：リアユニット、
１０２：フロントユニット、
１１６：ネジ穴、
２００：弦挿通パイプ、
２０１：弦挿通孔、
２０２：ネジ溝。
【図１】
0003147077.tif 000003
【図２】
0003147077.tif 000004
【図３】
0003147077.tif 000005
【図４】
0003147077.tif 000006
【図５】
0003147077.tif 000007